(57)【要約】【課題】液晶表示パネル上の温度分布を、部品点数を増加することなく均一化することができる液晶表示装置を提供する。【解決手段】前側に画像が表示される液晶表示パネル１の後側に、光源としての発光ダイオード２１が実装されている複数の発光ダイオード基板２２を上下に離隔して並置してある板状の支持体２４を、液晶表示パネル１に対して上方に向けて後方へ傾斜させ、支持体２４の上部に配される発光ダイオード２１と液晶表示パネル１との間の寸法を相対的に長くし、支持体２４の下部に配される発光ダイオード２１と液晶表示パネル１との間の寸法を相対的に短くすることにより、液晶表示パネル１上の温度分布を均一化することができるようにした。【選択図】図１
2011253010.tif 000002
【特許請求の範囲】
【請求項１】
表側に画像が表示される液晶表示パネルの裏側に、複数の光源を支持体に並べて支持してある液晶表示装置において、前記複数の光源は、前記液晶表示パネルとの間の寸法を異にして配してあることを特徴とする液晶表示装置。
【請求項２】
前記支持体は板状をなし、該支持体の一面に前記光源が配され、他面に前記光源に給電する給電基板が配されており、該給電基板が配されている箇所の前記一面における前記寸法が相対的に長い請求項１記載の液晶表示装置。
【請求項３】
前記支持体は板状をなして縦姿勢に配してあり、前記支持体の上部における前記寸法が相対的に長い請求項１記載の液晶表示装置。
【請求項４】
略短冊形をなし、交差する２方向に並置してある複数の発光ダイオード基板を備え、前記光源は前記発光ダイオード基板に並べて実装されている発光ダイオードであり、前記発光ダイオード基板の少なくとも一つは、前記寸法が相対的に長い位置に配してある請求項１から３のいずれか一つに記載の液晶表示装置。
【発明の詳細な説明】
【技術分野】
【０００１】
本発明は液晶表示装置に関する。
【背景技術】
【０００２】
液晶テレビジョン等の薄型と称される液晶表示装置は、画像を表示する表示面を表側に有し略直方体をなす液晶表示パネルと、該液晶表示パネルの裏側に配され、液晶表示パネルに光を照射する光源部とを備え、該光源部及び前記液晶表示パネルの間に、拡散板及びプリズムシート等の光学シートが配されている。
【０００３】
液晶表示パネルは、２枚のパネル間に注入されている液晶に電界を印加し、該電界の強さを調節して２枚のパネルを透過する光の量を調節することにより画像信号を得ることができるように構成されている。
【０００４】
液晶の動画性能を向上するには液晶の応答速度を速くする必要がある。この応答速度を速くする手段として、例えば、特許文献１に記載されている手段が知られている。また、液晶の応答速度は温度によって異なるため、例えば、特許文献２、３に記載されているように液晶表示パネル上の温度を検出し、検出した温度に従って液晶の応答速度が制御されている。
【０００５】
特許文献１に記載の手段は、１フレーム前の入力画像信号と現フレームの入力画像信号との組合せに応じて、予め決められた現フレームの入力画像信号に対する階調電圧よりも高い（オーバーシュートされた）駆動電圧、又は現フレームの入力画像信号に対する階調電圧よりも低い（アンダーシュートされた）駆動電圧を液晶表示パネルに供給する液晶駆動方法（以下OS駆動と称する）である。
【０００６】
特許文献２に記載の制御は、液晶表示パネル上の温度を検出する温度センサと、異なる複数の温度に対応して格納された複数のOS駆動テーブルを備え、液晶表示パネル上の検出された温度に対応して最適のOS駆動テーブルを選択するものである。
【０００７】
特許文献３に記載の制御は、液晶表示パネル上の複数領域における温度を検出する複数の温度センサと、異なる複数の温度に対応して格納された複数のOS駆動テーブルを備え、液晶表示パネル上の各領域で検出された温度の夫々に対応してOS駆動テーブルを選択するものである。
【０００８】
液晶表示パネルは自身が発光するものでないため、表示面に画像を表示するための光源が必要であり、この光源として、直管形をなす複数本の冷陰極蛍光ランプ（ＣＣＦＬ）、又は、複数の発光ダイオード（ＬＥＤ）が用いられている。
【０００９】
冷陰極蛍光ランプは液晶表示パネルとの間の寸法を等しくして平行的に配されており、発光ダイオードは液晶表示パネルとの間の寸法を等しくして碁盤目状に配されている。
【先行技術文献】
【特許文献】
【００１０】
【特許文献１】特開平４−３６５０９４号公報
【特許文献２】特開２００４−３２５７２９号公報
【特許文献３】特開２００４−１６３８７０号公報
【発明の概要】
【発明が解決しようとする課題】
【００１１】
ところが、特許文献２、３のように液晶表示パネルの温度を検出する温度センサの検出温度に対応してOS駆動テーブルを選択するものにあっては、液晶表示パネル上の温度を検出する温度センサが必要であり、しかも、温度センサが単一の場合は、温度検出点付近ではOS駆動のかかり方が適切であっても、温度検出点よりも離隔した部分ではOS駆動のかかり方が不適切となる可能性があり、また、温度センサが複数の場合は、部品点数が増加し、コスト高になるため改善策が要望されていた。
【００１２】
本発明は斯かる事情に鑑みてなされたものであり、主たる目的は液晶表示パネル上の温度分布を、部品点数を増加することなく均一化することができる液晶表示装置を提供することにある。
【課題を解決するための手段】
【００１３】
本発明に係る液晶表示装置は、表側に画像が表示される液晶表示パネルの裏側に、複数の光源を支持体に並べて支持してある液晶表示装置において、前記複数の光源は、前記液晶表示パネルとの間の寸法を異にして配してあることを特徴とする。
【００１４】
この発明にあっては、液晶表示パネル上の高い温度分布となる分布域に、液晶表示パネルとの間の寸法が相対的に長くなるように光源を配することにより、液晶表示パネル上の光源による昇温を低減でき、液晶表示パネル上の低い温度分布となる分布域に、前記寸法が相対的に短くなるように光源を配することにより、液晶表示パネル上の光源による昇温を抑制でき、液晶表示パネル上の温度分布を、部品点数を増加することなく均一化できる。よって、OS駆動された最適の駆動電圧を液晶表示パネルの表示面の全面にわたって供給することが可能であり、液晶の動画性能をより一層向上することができる。しかも、温度センサ等を殊更設ける必要がなく、コストを低減できる。
【００１５】
また、本発明に係る液晶表示装置は、前記支持体は板状をなし、該支持体の一面に前記光源が配され、他面に前記光源に給電する給電基板が配されており、該給電基板が配されている箇所の前記一面における前記寸法が相対的に長い構成とするのが好ましい。
この発明にあっては、給電基板から伝達される熱にて昇温する箇所に、液晶表示パネルとの間の寸法が相対的に長くなるように光源が配され、液晶表示パネル上の光源による昇温を低減できるため、光源が配されている領域上で前記給電基板と対向する箇所が一部分であっても、液晶表示パネル上の温度分布を均一化できる。よって、OS駆動された最適の駆動電圧を液晶表示パネルの表示面の全面にわたって供給することが可能であり、液晶の動画性能をより一層向上することができる。 
【００１６】
また、本発明に係る液晶表示装置は、前記支持体は板状をなして縦姿勢に配してあり、前記支持体の上部における前記寸法が相対的に長い構成とするのが好ましい。
この発明にあっては、支持体の下側に配されている光源が発生する熱が自然対流により上昇し、支持体の上部に配されている光源周りの温度が高くなる場合においても、液晶表示パネル上の温度分布を均一化できる。よって、OS駆動された最適の駆動電圧を液晶表示パネルの表示面の全面にわたって供給することが可能であり、液晶の動画性能をより一層向上することができる。
【００１７】
また、本発明に係る液晶表示装置は、略短冊形をなし、交差する２方向に並置してある複数の発光ダイオード基板を備え、前記光源は前記発光ダイオード基板に並べて実装されている発光ダイオードであり、前記発光ダイオード基板の少なくとも一つは、前記寸法が相対的に長い位置に配してある構成とするのが好ましい。
この発明にあっては、液晶表示パネル上の一部分の温度が他の部分に比べて高くなる場合においても、温度が高くなる一部分と対向する箇所に、前記寸法が相対的に長くなるように光源を配することができ、液晶表示パネル上の光源による昇温を低減できるため、光源が配されている領域上で一部分の温度が相対的に高くなる場合であっても、液晶表示パネル上の温度分布を均一化できる。よって、OS駆動された最適の駆動電圧を液晶表示パネルの表示面の全面にわたって供給することが可能であり、液晶の動画性能をより一層向上することができる。
【発明の効果】
【００１８】
本発明によれば、液晶表示パネル上の温度分布域に対応して、液晶表示パネルとの間の寸法が異なる光源を配することができ、液晶表示パネル上の温度分布を均一化でき、OS駆動された最適の駆動電圧を液晶表示パネルの表示面の全面にわたって供給することが可能であり、液晶の動画性能をより一層向上することができる。しかも、温度センサ等を殊更設ける必要がなく、コストを低減できる。
【図面の簡単な説明】
【００１９】
【図１】本発明に係る液晶表示装置の構成を示す一部を省略した断面図である。
【図２】本発明に係る液晶表示装置の光源部の構成を示す正面図である。
【図３】本発明に係る液晶表示装置のカバーを取外した状態の構成を示す背面図である。
【図４】本発明に係る液晶表示装置の他の構成を示す一部を省略した断面図である。
【図５】本発明に係る液晶表示装置の光源部の他の構成を示す正面図である。
【図６】本発明に係る液晶表示装置の他の構成を示す一部を省略した断面図である。
【発明を実施するための形態】
【００２０】
以下本発明をその実施の形態を示す図面に基づいて詳述する。
実施の形態１
図１は本発明に係る液晶表示装置の構成を示す一部を省略した断面図、図２は光源部の構成を示す正面図、図３は液晶表示装置のカバーを取外した状態の構成を示す背面図である。この液晶表示装置は、テレビ画像を表示する表示面を前側に有し、略直方体をなす液晶表示パネル１と、該液晶表示パネル１の後側に配され、液晶表示パネル１を照射する光源部２と、該光源部２を覆う深皿形状のカバー３と、液晶表示パネル１の周縁部を覆う外装枠体４とを備え、液晶表示パネル１及び光源部２の間に光学シート５を配してある液晶テレビジョン、換言すれば液晶表示装置である。
【００２１】
液晶表示パネル１は前面及び後面に偏光板が接合されている。液晶表示パネル１の周縁部は、前保持枠体１１と、後保持枠体１２とにより前後に挾着保持され、パネルモジュールを構成しており、後保持枠体１２が後記する支持体における鍔部に雄螺子にて取付けられている。
【００２２】
光源部２は、碁盤目のように並置される光源としての複数の発光ダイオード２１と、該発光ダイオード２１を一面に実装してあり、上下に離隔して並置され、且つ横方向に並置される複数の発光ダイオード基板２２と、横方向に隣合う発光ダイオード基板２２，２２同士を接続してある複数のコネクタ２３と、ケース形をなし発光ダイオード基板２２夫々を収容支持してある支持体２４と、発光ダイオード基板２２の一面上に配され、発光ダイオード２１が発光した光を反射させる反射シート２５と、支持体２４の他面に装着され、発光ダイオード２１等に給電する給電基板２６等の複数の回路基板とを備える。
【００２３】
発光ダイオード基板２２は短冊形をなし、長手方向両端部に、端子を有する接続部２ａ，２２ｂが設けられており、長手方向一端が対向するように２枚の発光ダイオード基板２２，２２が横方向に並置されている。
【００２４】
横方向に隣合う発光ダイオード基板２２は、隣合う二つの接続部２２ａ，２２ｂ同士がコネクタ２３にて接続され、一方の発光ダイオード基板２２の接続部２３が給電基板２６に第２コネクタ２７にて接続され、他方の発光ダイオード基板２２の接続部２２ｂがショートコネクタ２８にて接続されている。
【００２５】
発光ダイオード２１は板部２２の長手方向に離隔して５個又は８個実装されている。
【００２６】
コネクタ２３は、略直方体をなし、一面の長手方向両端部に、接続部２２ａ，２２ｂに対応する端子が設けられており、接続部２２ａ，２２ｂに接続されたとき、発光ダイオード基板２２の一面に重合する。
【００２７】
反射シート２５は、高反射性を有し、支持体２４に対応して略矩形をなす一枚の合成樹脂シートからなる。
【００２８】
支持体２４は金属板を成形してなり、略矩形をなす平板状の板部２４ａ、該板部２４ａの周縁に連なる角形の枠部２４ｂ及び該枠部２４ｂの周縁に連なる角形の鍔部２４ｃを有し、縦姿勢においては液晶表示パネル１に対して板部２４ａが前後方向に傾斜している。
【００２９】
支持体２４の鍔部２４ｃは液晶表示パネル１と等寸法で対向し、枠部２４ｂは上辺側が前後方向に長く、下辺側が前後方向に短く、両側辺側が略楔形をなし、鍔部２４ｃに液晶表示パネル１が取付けられたとき、液晶表示パネル１と板部２４ａ上部との間の寸法が長く、液晶表示パネル１と板部２４ａ下部との間の寸法が短くなるように液晶表示パネル１に対して板部２４ａが前後方向に傾斜し、該板部２４ａに上下に並置してある各発光ダイオード基板２２と液晶表示パネル１との間の寸法、ひいては各発光ダイオード基板２２に実装してある発光ダイオード２１と液晶表示パネル１との間の寸法が、縦姿勢の支持体２４の上部で長く、下部で短くなっている。
【００３０】
板部２４ａには、発光ダイオード基板２２を取付けるための複数の取付孔が開設されており、また、板部２４ａの周縁側にはカバー３が取付けられる複数の取付孔が開設されており、また、鍔部２４ｃには、支持体２４に支持する液晶表示パネル１が取付けられる複数の取付孔が開設されている。
【００３１】
板部２４ａにおける他面の長手方向一側部には、第２コネクタ２７にて発光ダイオード基板２２の接続部２２ｂに接続され、発光ダイオード２１及び液晶表示パネル１に給電する給電基板２６が取付けられており、長手方向他側部には、液晶表示パネル１の表示面に表示される画像を処理する制御回路基板２９が取付けられており、長手方向中央部下側には、給電基板２６及び制御回路基板２９に制御指令を出力する制御回路基板３０が取付けられている。
【００３２】
カバー３は深皿形をなし、周縁側には内方へ突出された複数の筒形ボスが設けられ、該筒形ボスに挿入される雄螺子にて板部２４ａの取付孔に取付けられている。
【００３３】
光学シート５は、光源としての発光ダイオード２１が発光した光を拡散する比較的厚肉の拡散板と、反射偏光板、プリズムシート、拡散シート等の比較的薄肉の合成樹脂シートが積層された積層体である。
【００３４】
以上のように構成された液晶表示装置は、縦姿勢の光源部２における支持体２４の板部２４ａが、液晶表示パネル１に対して上方に向けて後方へ傾斜し、板部２４ａに上下に離隔して並置してある各発光ダイオード基板２２と液晶表示パネル１との間の寸法が、板部２４ａの上部では長く、板部２４ａの下部では短くなっており、各発光ダイオード基板２２に実装してある発光ダイオード２１と液晶表示パネル１との間の寸法が、板部２４ａの上部で長く、板部２４ａの下部で短くなっているため、下部の発光ダイオード基板２２に実装されている発光ダイオード１が発生した熱が自然対流により上昇した際、上部の発光ダイオード基板２２２に実装されている発光ダイオード２１周りの昇温を低減でき、下部及び上部に配されている発光ダイオード２１周りの温度差を低減でき、発光ダイオード２１周りの温度を均一化することができる。よって、光源部２が発生する熱による液晶表示パネル１上の温度分布を均一化できるため、OS駆動された最適の駆動電圧を液晶表示パネル１の表示面の全面にわたって供給することが可能であり、液晶の動画性能をより一層向上することができる。
【００３５】
実施の形態２
図４は本発明に係る液晶表示装置の他の構成を示す一部を省略した断面図、図５は光源部の他の構成を示す正面図である。この液晶表示装置は、直管形をなす複数本の冷陰極蛍光ランプ３１が光源であり、該冷陰極蛍光ランプ３１が上下に離隔して平行的に並置され、上部の冷陰極蛍光ランプ３１と液晶表示パネル１との間の寸法が長く、下部の冷陰極蛍光ランプ３１と液晶表示パネル１との間の寸法が短くなっている。 
【００３６】
冷陰極蛍光ランプ３１は両端に電極部を有し、該電極部が、板部２４ａの他面に配されるインバータ回路基板３２に接続されており、長手方向中央部がクリップ３３にて板部２４ａに保持されている。
【００３７】
支持体２４は、図１と同様に液晶表示パネル１に対して板部２４ａが上方に向けて後方へ傾斜し、該板部２４ａに上下に離隔して並置してある冷陰極蛍光ランプ３１と液晶表示パネル１との間の寸法が、縦姿勢の支持体２４の上部で長く、下部で短くなっている。
【００３８】
この実施の形態にあっては、縦姿勢の光源部２における支持体２４の板部２４ａが、液晶表示パネル１に対して上方に向けて後方へ傾斜し、板部２４ａに上下に離隔して並置してある各冷陰極蛍光ランプ３１と液晶表示パネル１との間の寸法が、板部２４ａの上部では長く、板部２４ａの下部では短くなっているため、下部の冷陰極蛍光ランプ３１が発生した熱が自然対流により上昇した際、上部の冷陰極蛍光ランプ３１周りの昇温を低減でき、下部及び上部に配されている冷陰極蛍光ランプ３１周りの温度差を低減でき、冷陰極蛍光ランプ３１周りの温度を均一化することができる。よって、光源部２が発生する熱による液晶表示パネル１上の温度分布を均一化できるため、OS駆動された最適の駆動電圧を液晶表示パネル１の表示面の全面にわたって供給することが可能であり、液晶の動画性能をより一層向上することができる。
その他の構成及び作用は実施の形態１と同様であるため、同様の部品については同じ符号を付し、その詳細な説明及び作用効果の説明を省略する。
【００３９】
実施の形態３
図６は本発明に係る液晶表示装置の他の構成を示す一部を省略した断面図である。この液晶表示装置は、光源としての発光ダイオード２１又は冷陰極蛍光ランプ３１と液晶表示パネル１との間の寸法が、並置方向の一方から他方へ段階的に短くなるように構成する代わりに、発光ダイオード２１又は冷陰極蛍光ランプ３１が並置される領域上の高い温度分布域の前記寸法を相対的に長くし、前記領域上の低い温度分布域の前記寸法を相対的に短くしたものである。
【００４０】
発光ダイオード基板２２又は冷陰極蛍光ランプ３１が並置される領域上において、上部の領域と、支持体２４の他面に装着される給電基板２６等の回路基板と対向する領域とは高い温度分布になるため、この上部の領域及び給電基板２６等の回路基板と対向する領域に配される発光ダイオード基板２２に実装の発光ダイオード２１又は冷陰極蛍光ランプ３１と液晶表示パネル１との間の寸法を長くし、他の領域では、温度分布に対応して前記寸法を短くしてある。
【００４１】
この実施の形態にあっては、発光ダイオード基板２２が並置される領域上の温度分布に対応して、発光ダイオード２１又は冷陰極蛍光ランプ３１と液晶表示パネル１との間の寸法が異なるため、発光ダイオード２１又は冷陰極蛍光ランプ３１周りの温度をより一層均一化することができる。よって、光源部２が発生する熱による液晶表示パネル１上の温度分布をより一層均一化できるため、OS駆動された最適の駆動電圧を液晶表示パネル１の表示面の全面にわたって供給することが可能であり、液晶の動画性能をより一層向上することができる。
その他の構成及び作用は実施の形態１と同様であるため、同様の部品については同じ符号を付し、その詳細な説明及び作用効果の説明を省略する。
【００４２】
尚、以上説明した実施の形態では、液晶表示パネル１に対して上方に向けて後方へ傾斜する扁平状の板部２４ａに発光ダイオード基板２２又は冷陰極蛍光ランプ３１が並置される構成としたが、その他、板部２４ａは、液晶表示パネル１に対して上方に向けて後方へ湾曲する構成としてもよいし、また、発光ダイオード基板２２又は冷陰極蛍光ランプ３１と対向する部分が液晶表示パネル１と略平行となる階段状の構成としてもよい。
【符号の説明】
【００４３】
１    液晶表示パネル
２１  発光ダイオード（光源）
２２  発光ダイオード基板
２４  支持体
２６  給電基板
【図１】
2011253010.tif 000003
【図２】
2011253010.tif 000004
【図３】
2011253010.tif 000005
【図４】
2011253010.tif 000006
【図５】
2011253010.tif 000007
【図６】
2011253010.tif 000008